(57)【要約】【課題】拡大表示の際に、タッチパネルの解像度の高さを生かし、広範囲にわたって多くの情報を表示すること。【解決手段】タッチパネル１０１においてユーザの指３３０による第１のタッチ操作が行われたか否かを判定し、第１のタッチ操作が行われた場合には、タッチパネル１０１中の、第１のタッチ操作がされた位置を含む矩形領域３１４を網掛け表示し、矩形領域３１４に表示されている情報を、圧縮率を調整した上でタッチパネル１０２に拡大表示する。【選択図】図３（ｃ）
2013246658.tif 000002
【特許請求の範囲】
【請求項１】
タッチ操作による入力が可能なタッチパネルを備えた情報機器に搭載される表示制御装置であって、
前記タッチパネルの第１の表示領域においてユーザによる第１のタッチ操作が行われたか否かを判定するタッチ操作判定部と、
前記第１のタッチ操作が行われた場合、前記第１の表示領域中の、前記第１のタッチ操作がされた位置を含む所定の領域に表示されている情報を、前記タッチパネルの第２の表示領域に拡大表示する拡大表示部と、
を備える表示制御装置。
【請求項２】
前記所定の領域の横幅と縦幅を、前記スライドの方向と距離に基づいて決定する座標計算部を具備し、
前記拡大表示部は、前記座標計算部が決定した前記所定の領域の横幅と縦幅に基づいて、前記第１のタッチ操作がされた位置を含む所定の領域に表示されている情報を、前記タッチパネルの第２の表示領域に拡大表示する
請求項１記載の表示制御装置。
【請求項３】
前記拡大表示部は、前記決定された所定の領域の表示態様を、他の領域と異ならせる、
請求項１記載の表示制御装置。
【請求項４】
前記タッチ操作判定部および前記拡大表示部は、アプリケーションよりも下位層に位置するミドルウェア、ＯＳおよびデバイスドライバのいずれか一つ以上におけるモジュールとして実装される、
請求項１から３のいずれかに記載の表示制御装置。
【請求項５】
前記タッチ操作判定部は、前記第１のタッチ操作が開始されてから解除されるまでの間、前記第１の表示領域上において前記ユーザによる指先の第１のスライド操作が行われたか否かを判定し、
前記拡大表示部は、前記第１のスライド操作の幅に応じて、前記第２の表示領域の拡大率を増減する、
請求項１から４のいずれかに記載の表示制御装置。
【請求項６】
前記タッチ操作判定部は、前記第１のタッチ操作が開始されてから解除されるまでの間、前記第１の表示領域上において前記ユーザによる指先の第２のスライド操作が行われたか否かを判定し、
前記拡大表示部は、前記第２のスライド操作の幅に応じて前記第２の表示領域に表示された画像を回転させる、
請求項５に記載の表示制御装置。
【請求項７】
第１のタッチパネルと、
第２のタッチパネルと、
請求項１から６のいずれかに記載の表示制御装置と、
を備え、
前記第１の表示領域は一方のタッチパネル上の表示領域であり、前記第２の表示領域は他方のタッチパネル上の表示領域である、
情報機器。
【請求項８】
前記タッチ操作判定部は、
ユーザが前記第１の表示領域に指先をタッチし、前記タッチした位置から第１の所定の時間だけ前記指先を前記第１の表示領域上でスライドさせ、第２の所定の時間だけ前記指先を止めることにより、前記第１のタッチ操作が行われたと判定する、
請求項１に記載の表示制御装置。
【請求項９】
タッチ操作による入力が可能なタッチパネルを備えた情報機器における表示制御方法であって、
タッチパネルの第１の表示領域においてユーザによる第１のタッチ操作が行われたか否かを判定するステップと、
前記第１のタッチ操作が行われた場合、前記第１の表示領域中の、前記第１のタッチ操作がされた位置を含む所定の領域に表示されている情報を、前記タッチパネルの第２の表示領域に拡大表示するステップと、
を備える表示制御方法。
【発明の詳細な説明】
【技術分野】
【０００１】
本発明は、タッチパネルの画面表示を制御する表示制御装置および表示制御方法に関する。
【背景技術】
【０００２】
近年、タッチ操作による入力が可能なタッチパネルを表示部として備えた情報機器は、ＧＵＩ（Ｇｒａｐｈｉｃａｌ  Ｕｓｅｒ  Ｉｎｔｅｒｆａｃｅ）を有するＯＳ（Ｏｐｅｒａｔｉｎｇ  Ｓｙｓｔｅｍ）を搭載し、普及してきている。情報機器には、スマートフォン、携帯電話、タブレット、および、パーソナルコンピュータ等が含まれる。ユーザは、タッチパネルの表示画面を構成するＧＵＩに対して、ユーザの指先等により直接触れることにより、ＯＳやアプリケーションに対する入力操作を行うことができる。
【０００３】
情報機器のタッチパネルに表示される情報は、ユーザがクリックすることが可能なメニュー、ボタン、ハイパーリンク等のＧＵＩ要素を含む。最近のタッチパネルは、ＧＵＩ要素等の多くの情報を高解像度で表示することができる。
【０００４】
しかしながら、表示情報内において、ＧＵＩ要素の表示サイズがユーザの指先等に比べて小さい場合には、ＧＵＩに対するユーザの操作性が悪化するとともに、誤操作も起こりやすくなる。特に、解像度の高いタッチパネルでは、ＧＵＩ要素を表示する画像が非常に高精細であると、上記問題は非常に顕著となる。
【０００５】
上記問題を回避するために、特許文献１記載の発明では、表示画面の一部を拡大表示することによりＧＵＩ要素の表示サイズを大きくする技術が開示されている。具体的には、ＧＵＩの表示を制御する表示制御装置は、以下の表示制御を実行する。まず、最初に、表示制御装置は、表示情報内において、ＧＵＩ要素が密集している領域を識別する。続いて、当該識別された領域内の位置をユーザが指先等でタッチした場合に、表示制御装置は、当該タッチした位置を中心とする近傍の領域を拡大表示する。最後に、表示制御装置は、上記拡大表示された領域に含まれるＧＵＩ要素に対してユーザが行うタッチ操作を受け付ける。
【先行技術文献】
【特許文献】
【０００６】
【特許文献１】特開２００８−１４６１３５号公報
【発明の概要】
【発明が解決しようとする課題】
【０００７】
しかしながら、特許文献１記載の発明では、拡大表示によって既存の表示情報の一部が隠れてしまうので、多くの情報を高解像度で表示することのできるというタッチパネルの能力を生かすことができないという課題を有する。
【０００８】
以上の問題点に鑑み、本発明の目的は、タッチパネルの解像度の高さを生かした拡大表示をすることである。
【課題を解決するための手段】
【０００９】
本発明に係る表示制御装置は、タッチ操作による入力が可能なタッチパネルを備えた情報機器に搭載される表示制御装置であって、前記タッチパネルの第１の表示領域においてユーザによる第１のタッチ操作が行われたか否かを判定するタッチ操作判定部と、前記第１のタッチ操作が行われた場合、前記第１の表示領域中の、前記第１のタッチ操作がされた位置を含む所定の領域に表示されている情報を、前記タッチパネルの第２の表示領域に拡大表示する拡大表示部と、を備える構成を採る。
【００１０】
本発明に係る表示制御方法は、タッチ操作による入力が可能なタッチパネルを備えた情報機器における表示制御方法であって、タッチパネルの第１の表示領域においてユーザによる第１のタッチ操作が行われたか否かを判定するステップと、前記第１のタッチ操作が行われた場合、前記第１の表示領域中の、前記第１のタッチ操作がされた位置を含む所定の領域に表示されている情報を、前記タッチパネルの第２の表示領域に拡大表示するステップと、を備える構成を採る。
【発明の効果】
【００１１】
本発明では、タッチパネルの解像度の高さを生かした拡大表示をすることができる。
【図面の簡単な説明】
【００１２】
【図１】本発明の実施の形態に係る２タッチパネル端末の図
【図２】本発明の実施の形態に係る２タッチパネル端末の２画面状態と１画面状態を示す図
【図３】本発明の実施の形態１に係るタッチパネル上におけるタッチパネル操作を示す図
【図４】本発明の実施の形態１に係る表示制御装置の構成図
【図５】本発明の実施の形態１に係る表示制御装置の動作のフローチャートを示す図
【図６】本発明の実施の形態２に係るタッチパネル上におけるタッチパネル操作を示す図
【図７】本発明の実施の形態２に係る表示制御装置の構成図
【図８】本発明の実施の形態２に係る表示制御装置の動作のフローチャートを示す図
【図９】本発明の実施の形態３に係る２タッチパネル端末の１画面を構成する表示エリアを示す図
【発明を実施するための形態】
【００１３】
（実施の形態１）
まず、本実施の形態において使用される情報機器の具体例について説明する。
【００１４】
＜本実施の形態に係る情報機器の例＞
本実施の形態では、情報機器の例として、２つのタッチパネルを備えた携帯端末（以下「２タッチパネル端末」という）を想定する。
【００１５】
２タッチパネル端末は、タッチパネルをそれぞれ備えた２つの筐体を、例えば、ヒンジで接続している。ユーザは、ヒンジを軸にして２つの筐体を開いたり閉じたりする開閉操作を行うことにより、用途に合わせて、２つのタッチパネルを所望の状態にすることができる。例えば、ユーザは、上記２つの筐体を開くように動かす開操作を行うことにより、２つの筐体を水平に配置することができる。それにより、ユーザは、２タッチパネル端末を、２つのタッチパネルが左右に並んだ状態にして使用することができる。
【００１６】
図１は、本実施の形態に係る２タッチパネル端末１００の外観の一例を示す図である。２タッチパネル端末１００の適用先は、スマートフォン、タブレット、携帯電話、ゲーム機、および、電子辞書などが挙げられる。
【００１７】
図１において、２タッチパネル端末１００は、筐体１１０および筐体１２０を有する。筐体１１０と筐体１２０は、それぞれ、平板状である。そして、筐体１１０と筐体１２０は、ヒンジ１３０を介して接続されている。また、筐体１１０は、タッチパネル１０１を有する。筐体１２０は、タッチパネル１０２を有する。
【００１８】
図２は、ユーザの開閉操作により２タッチパネル端末１００が変形する様子をそれぞれ示す図である。
【００１９】
図２（ａ）は、２タッチパネル端末１００の第１の状態を示している。第１の状態は、２つの筐体１１０、１２０を開くように動かす開操作によって、２つの筐体１１０、１２０が水平に配置され、２つのタッチパネル１０１、１０２が左右に並んだ状態をいう。なお、第１の状態は、「２画面状態」ともいう。
【００２０】
図２（ａ）に示す第１の状態のときに、ユーザが、２つの筐体１１０、１２０を閉じるように動かす閉操作を行うと、２タッチパネル端末１００は、図２（ｂ）に示す状態になる。図２（ｂ）において、筐体１１０と筐体１２０とは、上下に重ね合わさり、タッチパネル１０１とタッチパネル１０２とが背中合わせになる、あるいは、タッチパネル１０１とタッチパネル１０２とが合わさり、閉じた状態となる。すなわち、２タッチパネル端末１００は、第２の状態となる。第２の状態は、２つの筐体１１０、１０２を閉じるように動かす閉操作によって、２つの筐体１１０、１２０が上下に重ね合って配置され、２つのタッチパネル１０１、１０２が背中合わせになる状態をいう。なお、第２の状態は、「１画面状態」ともいう。
【００２１】
実施の形態１における２タッチパネル端末１００は、上記「２画面状態」にして使用されるものとする。
【００２２】
＜タッチパネル操作と拡大表示＞
以下、図３（ａ）乃至図３（ｄ）を使用して、実施の形態１に係るユーザのタッチパネル操作と当該操作に従って、２タッチパネル端末１００が実行するＧＵＩ要素の拡大表示について説明する。なお、以下の説明において、ユーザは、例えば、指先でタッチパネルに対するタッチ操作を行うものとする。
【００２３】
図３（ａ）は、「２画面状態」において、２タッチパネル端末１００のタッチパネル１０１と１０２に跨がって表示される表示情報の一例としてＷｅｂページを図示している。図３（ａ）で示すＷｅｂページの左半分は、タッチパネル１０１の画面全体に表示される。Ｗｅｂページの右半分は、タッチパネル１０２の画面全体に表示されている。Ｗｅｂページの左半分に含まれるエリア３１１は、細かいリンクボタン（ＧＵＩ要素）が密集しているエリアである。
【００２４】
リンクボタン３１２は、ユーザの指先よりも小さい。また、リンクボタン３１２の周囲には、他のリンクボタンが密集している。このため、ユーザがエリア３１１内のリンクボタン３１２を指先で正確にタッチするには、リンクボタン３１２を含む表示エリアの拡大表示と、拡大表示されたエリア内に含まれるリンクボタン３１２へのタッチ操作が必要になる。そこで、本実施の形態では、ユーザが図３（ｂ）から図３（ｄ）に示される以下の操作を行う。
【００２５】
図３（ｂ）に示すとおり、ユーザは、タッチパネル１０１に表示されたエリア３１１内で、リンクボタン３１２が位置していると思われるおおよその位置を指先３３０でタッチする。続いて、ユーザは、タッチした指先３３０をそのままタッチパネル１０１上でスライドさせる。例えば、図３（ｂ）では、ユーザが指先３３０を矢印３１３の方向にスライドさせている。
【００２６】
そして、ユーザは、スライド操作を一定時間Ｔ１以上の間行い、その後、指先をタッチパネルの画面から離さずに一定時間Ｔ２以上の間、静止する操作を行う。そして、図３（ｃ）に示すとおり、ユーザが指先でタッチした位置を中心とする矩形領域３１４は、例えば、黒色で網掛けされて表示される。矩形領域３１４の高さ及び横幅は、スライド操作において、例えば、指先をスライドさせた距離に一定の比率を乗じた値に基づいて設定する。なお、ユーザが指先で最初にタッチした位置が、画面の四隅のいずれかの近くに偏っている場合には、ユーザが現在タッチしている位置が中心近くになるように矩形領域３１４の位置を調整する。このとき、矩形領域３１４は、矩形領域３１４の各辺が上記四隅をはみ出さない範囲で、位置が調整される。本実施の形態では、上記四隅の一つを始端とした矩形領域３１４の高さ及び横幅が、指先をスライドさせた距離に上記比率の２倍を乗じた値に基づいて設定することもできる。
【００２７】
つまり、本実施の形態では、例えば、スライド操作、あるいは、その後のタッチ位置によって、矩形領域３１４の中にリンクボタン３１２が含まれるように、矩形領域３１４の位置、高さ、および横幅をユーザが調節することができればよい。なお、タッチパネル１０１に対するユーザの上記一連の操作を、以下の説明では、第１のタッチ操作と呼ぶ。なお、上記一定時間Ｔ１およびＴ２は、任意の固定値とすることができる。
【００２８】
ユーザが上記した第１のタッチ操作を行うと、２タッチパネル端末１００は、リンクボタン３１２を含む矩形領域３１４がタッチパネル１０１の画面上に表示される。そして、矩形領域３１４内の表示内容は、タッチパネル１０１の右横に接続されているタッチパネル１０２の画面全体に渡って、拡大表示される（図３（ｃ））。上記拡大表示のために使用される表示エリアは、拡大表示前にＷｅｂページの右半分が表示されていたタッチパネル１０２の画面全体に相当する。拡大表示後のタッチパネル１０２の画面内には、矩形領域３１４中のリンクボタン３１２が拡大表示された３１２ａが表示されている。
【００２９】
その後、図３（ｄ）に示すとおり、ユーザは、矩形領域３１４を指先３３０でタッチしたまま、タッチパネル１０２の画面内において、周囲のリンクボタンと共に拡大表示されているリンクボタン３１２ａを別の指先３４０でタッチする。このタッチ操作を、以下の説明では、第２のタッチ操作と呼ぶ。ユーザがリンクボタン３１２ａに対して、第２のタッチ操作をすると、２タッチパネル端末１００は、矩形領域３１４内の対応するリンクボタン３１２がタッチされたものとして、アプリケーションにタッチ操作に関する情報を出力する。
【００３０】
最後に、ユーザが指先３３０をタッチパネル１０１から離すと、２タッチパネル端末１００は、タッチパネル１２０の画面全体に矩形領域３１４の拡大表示が表示されている状態が解除される。そして、２タッチパネル端末１００は、タッチパネル１０１および１０２の表示状態が図３（ａ）の表示状態に復帰する。
【００３１】
上記説明では、第１のタッチ操作として、スライド操作と静止操作を組み合わせたものを判定する例を示した。しかし、第１のタッチ操作の判定は、ユーザが指先３３０でタッチし、一定時間Ｔ３が経過した後に、さらに、別の複数の指先でタッチパネル１０１をタッチすることを、第１のタッチ操作として判定してもよい。また、第１のタッチ操作の判定は、別の例として、ユーザが指先３３０でタッチした後、画面上で指先３３０を一定距離Ｒ１以上スライドさせ、その後、指先３３０を一定時間Ｔ２の間静止させると、第１のタッチ操作として判定してもよい。この場合、第１のタッチ操作の完了後の矩形領域３１４の高さと横幅については、端末に設定された固定値となる。また、上記一定時間Ｔ３および一定距離Ｒ１は、任意の固定値とすることができる。
【００３２】
＜表示制御装置の構成＞
次に、表示制御装置の構成について説明する。
【００３３】
図３（ａ）乃至図３（ｄ）を使用して説明した上記のＧＵＩ要素の拡大表示動作を行う表示制御装置は、例えば、２タッチパネル端末１００内のＣＰＵが、表示制御プログラムを実行することによって実現される。表示制御プログラムは、図３（ａ）乃至図３（ｄ）を使用して上記のとおり説明したユーザのタッチパネル操作に従って、タッチパネル上のＧＵＩの表示を制御するプログラムである。以下、図４を使用して、実施の形態１に係る表示制御装置の構成について説明する。
【００３４】
実施の形態１に係る表示制御装置は、第１のタッチ検知部４０１、第１のタッチ操作判定部４０２、座標計算部４０３、拡大表示部４０４、第２のタッチ操作判定部４０５、インプットマネージャ部４０６、及び、アプリケーション実行部４０７を備える。
【００３５】
タッチ検知部４０１は、タッチパネルの画面に対してユーザの指がタッチしたことを検知すると、第１のタッチ操作判定部４０２および第２のタッチ操作判定部４０５に対して当該タッチの検知を通知する検知イベントを出力する。なお、検知イベントは、タッチパネルの画面を２次元座標系と見なした場合に、指先がタッチした位置を２次元座標値で表現したタッチ位置パラメータを含んでいる。なお、ここでは、ユーザの指がタッチパネル１０１に接触したものとする。タッチ検出部４０１が有する指先のタッチの検知と画面内のタッチした位置の取得は、タッチパネルがハードウェア機能として有する電気的な検知機能を直接利用するものである。そのため、タッチ検知部４０１は、例えば、タッチパネル用デバイスドライバとして、２タッチパネル端末１００のＯＳ内部に実装することが好適である。
【００３６】
第１のタッチ操作判定部４０２は、タッチ検知部４０１から検知イベントを受け取ると、検知イベントにより通知されるタッチ位置パラメータが表すタッチ位置を起点として、ユーザの指先が第１のタッチ操作をしたか否かを判定する。第１のタッチ操作判定部４０２は、上記判定の結果を座標計算部４０３に出力する。
【００３７】
座標計算部４０３は、第１のタッチ操作判定部４０２から第１のタッチ操作に関する上記判定の結果を受け取る。そして、座標計算部４０３は、第１のタッチ操作がされたタッチパネルの画面を表す２次元座標系内の拡大表示される矩形領域を、２次元座標値で表される拡大範囲パラメータとして計算する。続いて、座標計算部４０３は、計算した拡大範囲パラメータを、拡大表示部４０４と第２のタッチ操作判定部４０５に出力する。
【００３８】
拡大表示部４０４は、座標計算部４０３から受け取った拡大範囲パラメータが表すタッチパネル１０１上の矩形領域を、例えば、網掛け表示する。さらに、拡大表示部４０４は、第１のタッチ操作がされたタッチパネル１０１の画面上ではなく、タッチパネル１０１の横に接続されているタッチパネル１０２の画面全体に上記網掛け表示された矩形領域を拡大表示する。なお、拡大表示部４０４が行う拡大表示動作は、タッチパネルのハードウェアが画面表示内容をデジタル画像データとして保持する映像メモリを読み書きすることを必要とする。このため、拡大表示部４０４は、例えば、タッチパネル用デバイスドライバとして、２タッチパネル端末１００のＯＳ内部に実装することが好適である。なお、拡大表示部４０４による矩形領域の範囲の表示は、網掛け表示に限らず、周囲と区別できるものであれば、他の表示態様であってもよい。
【００３９】
第２のタッチ操作判定部４０５は、第１のタッチ操作を行った指先３３０とは別の指先３４０が、拡大表示を実行中のタッチパネル１０２の画面上で第２のタッチ操作を行ったか否かを判定する点で、第１のタッチ操作判定部４０２とは役割が異なる。第２のタッチ操作判定部４０５は、拡大表示部４０４による拡大表示が行われている間に、タッチ検知部４０１からタッチ位置パラメータを受け取り、かつ、座標計算部４０３から拡大範囲パラメータを受け取る。そして、第２のタッチ操作判定部４０５は、タッチパネル１０２上の拡大表示エリアに対して、ユーザによる第２のタッチ操作がされたか否かを判定する。第２のタッチ操作判定部４０５は、ユーザにより第２のタッチ操作がされたと判定すると、タッチパネル１０１上の拡大表示前の上記矩形領域の中の対応する座標位置がタッチされたものとする。そして、第２のタッチ操作判定部４０５は、当該タッチ操作に関する情報をインプットマネージャ部４０６に出力する。
【００４０】
インプットマネージャ部４０６は、第１のタッチ操作判定部４０２および第２のタッチ操作判定部４０５から、ユーザによる第１および第２のタッチ操作に関する情報を取得する。そして、インプットマネージャ部４０６は、取得したユーザによる第１および第２のタッチ操作に関する情報を、ユーザのタッチ操作に応じたユーザ入力としてアプリケーション実行部４０７に出力する。
【００４１】
アプリケーション実行部４０７は、インプットマネージャ部４０６から渡されたユーザ入力に従って、アプリケーションを実行する。
【００４２】
なお、第１のタッチ操作判定部４０２および第２のタッチ操作判定部４０５、座標計算部４０３、インプットマネージャ部４０６は、タッチパネルのハードウェアとアプリケーションとの間でユーザによるタッチ操作入力を仲介する。アプリケーション実行部４０７は、アプリケーションの起動や終了を指示するものである。したがって、表示制御装置を構成するこれらのモジュールは、例えば、２タッチパネル端末１００のＯＳ、ミドルウェアの内部のプレゼンテーション機能、または、ユーザインターフェース機能として実装することが好適である。
【００４３】
以上、実施の形態１に係る２タッチパネル端末１００は、表示制御装置の全ての機能を、アプリケーションよりも下位のレイヤであるミドルウェア、ＯＳまたはデバイスドライバとして実装することが可能である。
【００４４】
＜表示制御装置の動作説明＞
次に、図５のフローチャートに沿って、表示制御装置の動作説明をする。
【００４５】
Ｓ１０１において、タッチ検知部４０１は、タッチパネル１０１の画面に対してユーザの指がタッチしたことを検知すると、当該検知イベントを、第１のタッチ操作判定部４０２および第２のタッチ操作判定部４０５に出力する。Ｓ１０２において、２タッチパネル端末１００のＣＰＵは、ＧＵＩの拡大表示が現在イネーブルされているか否かを表す状態フラグ（図示せず）を、ディスエーブル状態に初期化する。この状態フラグが、ディスエーブル状態に設定されている期間中、表示制御装置は、ＧＵＩの拡大表示を行わない。
【００４６】
Ｓ１０３において、第１のタッチ操作判定部４０２は、タッチ検知部４０１から検知イベントを受け取ると、当該タッチ位置を起点として、ユーザが第１のタッチ操作をしたか否かを判定する。第１のタッチ操作がされていないと判定した場合（Ｓ１０３：ＮＯ）、第１のタッチ操作判定部４０２は、ステップＳ１１５に進む。他方、第１のタッチ操作がされたと判定した場合（Ｓ１０３：ＹＥＳ）、第１のタッチ操作判定部４０２は、ステップＳ１０４に進む。Ｓ１０４において、第１のタッチ操作判定部４０２は、第１のタッチ操作に関するスライド幅パラメータとタッチ位置パラメータを計算し、これらのパラメータを含む第１タッチイベントを座標計算部４０３に出力する。なお、スライド幅パラメータは、指先３３０が行ったスライド操作の幅を表す数値を含み、タッチ位置パラメータは第１のタッチ操作開始時のタッチパネル１０１の画面内における指先３３０のタッチ位置を表す座標値を含む。
【００４７】
Ｓ１０５において、座標計算部４０３は、通知された第１タッチイベントに含まれるスライド幅パラメータとタッチ位置パラメータに基づいて、拡大表示されるべき矩形領域を規定する２次元座標値を計算する。具体的には、座標計算部４０３は、タッチ位置パラメータで与えられるタッチ位置の座標を中心として、スライド幅パラメータで与えられるスライド操作の縦方向の幅と横方向の幅に、それぞれ一定の比率を乗じた高さと横幅を計算する。そして、座標計算部４０３は、上記中心座標、高さ及び横幅から、上記矩形領域を規定する２次元座標値の組を計算する。なお、上記矩形領域は、図３（ｃ）および図３（ｄ）の矩形領域３１４に相当する。座標計算部４０３は、上記矩形領域を規定する２次元座標値の組を含む矩形領域定義パラメータと共に、拡大表示指示コマンドを拡大表示部４０４に出力する。
【００４８】
Ｓ１０６において、拡大表示部４０４は、矩形領域定義パラメータと共に、拡大表示指示コマンドを受け取る。そして、拡大表示部４０４は、矩形領域定義パラメータに含まれる座標値の組に基づいて、タッチパネル１０１上に表示されている上記矩形領域の表示画像データを、タッチパネル１０１の画像メモリからフェッチする。Ｓ１０７において、拡大表示部４０４は、図３（ａ）において、タッチパネル１０２の画面全体に表示されていた既存の表示内容を画像データとして、画像メモリに退避させる。Ｓ１０８において、拡大表示部４０４は、図３（ｃ）および図３（ｄ）に図示したとおり、タッチパネル１０２の画面全体に渡って、上記矩形領域の表示画像データを拡大表示する。Ｓ１０９において、拡大表示部４０４は、ＧＵＩの拡大表示が現在イネーブルされている状態である旨を表すために、状態フラグをイネーブル状態に設定する。
【００４９】
Ｓ１１０において、第２のタッチ操作判定部４０５は、下記の条件（Ａ）から（Ｃ）が満たされた場合に、ユーザによる第２のタッチ操作がされたと判定する。
（Ａ）状態フラグがイネーブル状態になっている。
（Ｂ）状態フラグがイネーブル状態になった後、タッチ検知部４０１がタッチパネル１０２の画面上における指先のタッチを検出し、当該タッチの検出を通知する検知イベントが通知されている。
（Ｃ）状態フラグがイネーブル状態になった後、第２のタッチ操作判定部４０５が座標計算部４０３から矩形領域定義パラメータを受け取っている。
【００５０】
ユーザによる第２のタッチ操作がされたと第２のタッチ操作判定部４０５が判定した場合（Ｓ１１０：ＹＥＳ）、フローは、Ｓ１１１に進む。他方、ユーザによる第２のタッチ操作がされなかったと判定した場合（Ｓ１１０：ＮＯ）、フローは、Ｓ１１０に戻る。Ｓ１１１において、第１のタッチ操作判定部４０２は、第１のタッチ操作が解除されたか否かを判定する。第１のタッチ操作が解除されていなければ（Ｓ１１１：ＮＯ）、フローは、Ｓ１１２に進む。他方、解除されていれば（Ｓ１１１：ＹＥＳ）、フローは、図５のフローチャート中の（Ａ）に進む。フローが図５のフローチャートの（Ａ）に進んだ後の表示制御装置の動作については、後述する。
【００５１】
Ｓ１１２において、タッチ検知部４０１が通知した検知イベントに含まれるタッチ位置パラメータから、ユーザの指がタッチしたタッチパネル１０２の画面上のタッチ位置を取り出す。
【００５２】
Ｓ１１３において、第２のタッチ操作判定部４０５は、拡大表示の元となった矩形領域である図３（ｃ）の矩形領域３１４中において、上記取り出したタッチ位置と対応する座標位置を特定する。そして、第２のタッチ操作判定部４０５は、上記取り出したタッチ位置の座標値を、上記矩形領域内の対応する座標値に座標変換する。このとき、第２のタッチ操作判定部４０５は、タッチパネル１０２の画面全体に対応する２次元座標系と、図３（ｃ）の矩形領域３１４で表される矩形領域に対応する２次元座標系との間の座標マッピング規則に基づいて、座標変換する。
【００５３】
Ｓ１１４において、第２のタッチ操作判定部４０５は、上記矩形領域内の上記座標変換された座標位置がユーザによりタッチされたとして、ユーザのタッチ操作に関する情報をインプットマネージャ部４０６に出力する。この後、フローは、Ｓ１１０に戻る。
【００５４】
その後、ユーザがＧＵＩ要素の拡大表示に基づくＧＵＩ操作を必要としなくなると、ユーザは、指先３３０をタッチパネル１０１の画面から離すことになる。これにより、第２のタッチ操作判定部４０５は、ＧＵＩ要素がタッチパネル１０２の画面全体に拡大表示されている状態を解除することができる（Ｓ１１１：ＹＥＳ）。その後、表示制御装置の動作は、図５のフローチャート中の（Ａ）に進む。フローが図５のフローチャートの（Ａ）に進んだ後の表示制御装置の動作については、後述する。
【００５５】
次に、Ｓ１１５において、第１のタッチ操作判定部４０２は、検知イベントをインプットマネージャ部４０６に出力する。Ｓ１１６において、インプットマネージャ部４０６は、通知された検知イベントをＧＵＩの拡大表示とは無関係の通常のタッチ操作として、アプリケーション実行部４０７に出力する。なお、第１タッチイベントは、第１のタッチ操作の際にユーザが行った、指先のスライド操作の縦方向の幅と横方向の幅を表すスライド幅パラメータ、および、タッチ位置パラメータを含む。その後、表示制御装置の動作は図５のフローチャート中の（Ａ）に進む。
【００５６】
以下、フローが図５のフローチャートの（Ａ）に進んだ後の表示制御装置の動作について説明する。Ｓ１１７において、第１のタッチ操作判定部４０２は、状態フラグをディスエーブル状態に設定する。続いて、第１のタッチ操作判定部４０２は、座標計算部４０３を経由して、拡大表示部４０４に対して、タッチ操作解除イベントを出力する。Ｓ１１８において、拡大表示部４０４は、タッチ操作解除イベントを受け取ると、矩形領域３１４の拡大表示を中止する。そして、拡大表示部４０４は、上記拡大表示を行う前に、画像メモリに退避させておいた表示内容をタッチパネル１０２の画面上に再度表示し、処理を終了する。
【００５７】
なお、本実施の形態に関する上記説明では、第１のタッチ操作がタッチパネル１０１の画面上で行われ、拡大表示はタッチパネル１０２の画面全体を使用して行われると仮定した。しかしながら、本実施の形態では、これとは逆にタッチパネル１０２の画面上で第１のタッチ操作がされ、拡大表示はタッチパネル１０１の画面全体を使用してもよい。
【００５８】
＜実施の形態１の効果＞
本実施の形態は、タッチパネル１０１の画面上での第１のタッチ操作に基づいて、矩形領域３１４として指定されたエリアの拡大表示を、タッチパネル１０１と異なるタッチパネル１０２の画面全体を使用して行うことができる。つまり、本実施の形態では、タッチパネル１０１の高解像度を生かすことができる。また、本実施の形態の拡大表示された表示情報は、特許文献１記載の発明とは異なり、タッチパネル１０１の画面内の既存の表示情報の上に重複して表示されない。これにより、本実施の形態では、拡大表示エリアがタッチパネル１０１の画面内の既存の表示情報を覆い隠してしまうことを防止することができる。加えて、本実施の形態は、矩形領域３１４内で表示中の画像データの圧縮率を、適宜調整しながらタッチパネル１０２の画面全体を使用して、拡大表示することができる。このため、本実施の形態では、拡大表示の解像度を相対的に落とすこと無く、タッチパネル１０２の高解像度を生かして高精細表示をすることができる。
【００５９】
また、本実施の形態は、ＧＵＩ要素だけを拡大表示するのでは無く、ユーザが矩形領域として選択したエリア内の全表示内容を拡大表示する。つまり、本実施の形態は、ボタン、メニューおよび小さなハイパーリンク等が、細かい文字情報の中に埋め込まれたレイアウトを有するＷｅｂページ等の表示情報においても、全表示内容を拡大表示することができる。それにより、本実施の形態では、レイアウトを崩すことなく適切な拡大表示とそれに基づく操作性の向上を実現することができる。
【００６０】
また、本実施の形態では、画面内の拡大表示すべきエリアを、中心点のみならず縦幅や横幅も含めてユーザが指先できめ細かく指定することができる。具体的には、本実施の形態は、ユーザの指先が最初に画面にタッチした位置を中心に、ユーザが指先をそのままスライドさせた方向と距離に従って、矩形領域３１４の範囲を調節する。これにより、本実施の形態では、ユーザは矩形領域３１４の中心点だけでなく、横幅や縦幅も含めて、きめ細かく指定することができる。その結果、本実施の形態は、ユーザにとって操作の自由度が高い拡大表示機能を実現することができる。
【００６１】
また、本実施の形態において、表示制御装置は、個別のアプリケーションの各々が定義するＧＵＩ要素の配置を知らなくても、拡大表示の要否を判断することができる。その結果、本実施の形態では、拡大表示の要否を個別のアプリケーションがそれぞれ判断する必要がなくなる。
【００６２】
そのため、実施の形態１に係る表示制御装置の機能を実現するために、個別のアプリケーションのソフトウェア・プログラムに改変を加える必要が無い。
【００６３】
（実施の形態２）
実施の形態２は、実施の形態１と同様に、情報機器の例を２タッチパネル端末１００とし、２タッチパネル端末１００は、「２画面状態」で使用されているものとする。実施の形態２は、拡大表示される矩形領域３１４内部の拡大率、あるいは、回転表示角度を、ユーザがきめ細かく調節するための第３のタッチ操作判定部７０１を追加したものである。
【００６４】
＜タッチパネル操作と拡大表示＞
図６は、ユーザが第１のタッチ操作を行い、図３（ｃ）の表示状態になった時に、矩形領域３１４内部の拡大率をユーザが指先で調節する操作を説明する図である。
【００６５】
まず、ユーザは、第１のタッチ操作をタッチパネル１０１の画面に対して行い、画面表示を図３（ｃ）の状態にしてから、図６に示す操作をする。具体的には、ユーザは、矩形領域３１４を指先３３０でタッチしたまま、例えば、タッチパネル１０１の画面上で矢印６０１に沿って別の指先６１０を画面上で上下方向にスライドさせる。本実施の形態では、ユーザが上方向に指先をスライドさせると、タッチパネル１０２の画面全体に渡って拡大表示された矩形領域３１４の拡大率が増加する。逆に、本実施の形態では、ユーザが下方向に指先をスライドさせると拡大率が減少する。
【００６６】
さらに、本実施の形態は、ユーザが矩形領域３１４を指先３３０でタッチしたまま、タッチパネル１０１の画面内の矢印６０２に沿った方向に指先６１０を画面上でスライドさせる。これにより、本実施の形態では、タッチパネル１０２の画面全体にわたって拡大表示された矩形領域３１４の表示を、スライド幅に応じた角度だけ回転させることができる。この時、ユーザは、右方向に指先をスライドさせると、タッチパネル１０２の画面内において拡大表示された矩形領域３１４の表示が右回りに回転させることができる。逆に、ユーザは、左方向に指先をスライドさせると左回りに回転させることができる。
【００６７】
上記に説明したタッチパネル操作の実施例は、以下の変形実施例を考えることができる。変形実施例は、ユーザが矩形領域３１４を指先３３０でタッチしたまま、タッチパネル１０１の画面上で２本の指を使用した回転操作を行う。そして、変形実施例は、タッチパネル１０２の画面内において拡大表示された矩形領域３１４の表示を、上記回転操作の回転量に応じた角度だけ回転させる。なお、上記２本の指を使用した回転操作とは、ユーザが、矩形領域３１４をタッチしている指先３３０とは別の２本の指先で、タッチパネル１０１の画面上をタッチしたまま、その２本の指先を画面上で回すようにスライドさせる操作をいう。また、別の変形実施例では、ユーザが矩形領域３１４を指先３３０でタッチしたまま、タッチパネル１０１の画面内を空いている指先で短く１回タッチする。さらに、指先で短く１回タッチする毎に、表示制御装置は、拡大表示された矩形領域３１４の拡大率を所定の数値幅だけ段階的に増加させることができる。
【００６８】
上記説明したタッチパネル操作を、以下の説明では、第３のタッチ操作と呼ぶ。
【００６９】
＜表示制御装置の構成＞
以下、図７を使用して実施の形態２に係る表示制御装置の構成を説明する。図７に示す表示制御装置の構成は、第３のタッチ操作判定部７０１が追加されている点を除いて、実施の形態１に関して説明した図４の構成と同様であり、重複する説明は省略する。
【００７０】
第３のタッチ操作判定部７０１は、タッチ検知部４０１から検知イベントを受け取り、タッチパネル１０１の画面上において、ユーザによる第３のタッチ操作がされたか否かを判定する。第３のタッチ操作判定部７０１は、第３のタッチ操作がされたと判定した場合、ユーザが行った第３のタッチ操作の詳細を記述するパラメータ情報である拡大表示修正パラメータを座標計算部４０３に出力する。なお、拡大表示修正パラメータは、以下の情報を含む。
（ａ）第３のタッチ操作が拡大率の増減または拡大表示の回転のいずれに関係するかを表示するフラグ。
（ｂ）第３のタッチ操作が拡大率の増減に関係する場合、拡大率の増減幅を表す数値。
（ｃ）第３のタッチ操作が拡大表示の回転に関係する場合、回転角度を表す数値。
【００７１】
＜表示制御装置の動作説明＞
次に、図８のフローチャートに沿って、表示制御装置の動作説明をする。図８のフローチャートの全体は、図５のフローチャートの（Ｂ）の中に組み込まれ、図５のフローチャートにおけるフローの実行が（Ｂ）に到達すると、図８のフローチャート全体がサブルーチンとして呼び出される。
【００７２】
以下、実施の形態２に係る表示制御装置の動作に関して、新たに追加された第３のタッチ操作判定部７０１に関係する部分のみを以下のとおりに説明する。なお、表示制御装置のその他の動作に関しては、実施の形態１において説明した動作と同様であるので、重複説明は省略する。
【００７３】
まず、図５のフローチャートにおけるフローの実行が（Ｂ）に到達すると、フローは図８のＳ２０１に移る。Ｓ２０１において、第３のタッチ操作判定部７０１は、タッチ検知部４０１から検知イベントを受け取る。Ｓ２０２において、第３のタッチ操作判定部７０１は、下記の条件（Ｘ）から（Ｚ）が満たされた場合に、ユーザによる第３のタッチ操作がされたと判定する。
（Ｘ）タッチ検知部４０１が通知する検知イベントは、ユーザがタッチパネル１０１の画面上をタッチしたことにより通知された。
（Ｙ）状態フラグがイネーブル状態になっている。
（Ｚ）上記検知イベントの通知後、ユーザが指先をタッチパネル１０１から離すことなく、図６の矢印６０１または６０２の方向にスライドさせた。
【００７４】
Ｓ２０３において、第３のタッチ操作判定部７０１は、ユーザが行った矢印６０１の方向のスライド操作の幅および初期の拡大率に基づいて、変更後の拡大率を計算する。Ｓ２０４において、第３のタッチ操作判定部７０１は、ユーザが行った矢印６０２の方向のスライド操作の幅に基づいて、タッチパネル１０２の画面全体にわたって拡大表示されている拡大表示画像の回転角度を計算する。
【００７５】
Ｓ２０５において、第３のタッチ操作判定部７０１は、上記変更後の拡大率と計算された回転角度を元に拡大表示修正パラメータを生成し、当該パラメータと共に拡大表示修正イベントを座標計算部４０３に出力する。
【００７６】
Ｓ２０６において、座標計算部４０３は、拡大表示修正パラメータと共に拡大表示修正イベントを取得する。そして、座標計算部４０３は、拡大表示修正パラメータに基づいて、矩形領域３１４を定義する２次元座標値の組を修正し、修正された２次元座標値の組を計算する。具体的には、座標計算部４０３は、拡大表示修正パラメータに含まれる変更後の拡大率を使用して、タッチパネル１０２の画面全体にわたって変更後の拡大率により拡大表示されるタッチパネル１０１の画面内の矩形領域を計算し直す。加えて、座標計算部４０３は、拡大表示修正パラメータに含まれる回転角度を使用して、タッチパネル１０２の画面全体に渡って拡大表示される上記矩形領域を回転させた回転後の矩形領域を計算する。
【００７７】
Ｓ２０７において、座標計算部４０３は、拡大表示修正パラメータを使用して計算し直した矩形領域に関する２次元座標値の組を、矩形領域定義パラメータとして、拡大表示部４０４に出力する。この矩形領域定義パラメータは、拡大表示修正パラメータを使用して生成される点を除いて、実施の形態１において説明した矩形領域定義パラメータと同様のパラメータである。
【００７８】
Ｓ２０８において、拡大表示部４０４は、通知された矩形領域定義パラメータ中の上記修正された２次元座標値に基づいて、タッチパネル１０２の画面全体を使用して矩形領域の拡大表示を行う。その後、表示制御装置の動作は、図５のフローチャート中の（Ｂ）に戻って図５のＳ１１０に進む。
【００７９】
なお、本実施の形態において、第１および第３のタッチ操作は、タッチパネル１０１の画面上で行われ、拡大表示はタッチパネル１０２の画面全体を使用して行われると仮定した。しかしながら、本実施の形態では、これとは逆にタッチパネル１０２の画面上で第１および第３のタッチ操作がされ、拡大表示はタッチパネル１０１の画面全体を使用して行われてもよい。
【００８０】
また、２タッチパネル端末１００は、筐体に加わる力学的な衝撃や振動を検知する加速度センサを内蔵していてもよい。そして、タッチパネル１０２の画面全体を使用して拡大表示をしている間に２タッチパネル端末１００の筐体をユーザが振る動作を、上記加速度センサが検知した場合、表示制御装置は、拡大率を初期値に戻す構成としてもよい。
【００８１】
＜実施の形態２の効果＞
本実施の形態は、第１のタッチ操作によりユーザが選択した矩形領域３１４を、タッチパネル１０２の画面全体を使用して、高精細かつ広範囲に拡大表示することができる。また、ユーザは、タッチパネル１０１の画面の縦幅を目一杯使用した指先の縦方向のスライド操作により、拡大率をきめ細かく広範囲に調節することができる。加えて、ユーザは、タッチパネル１０１の画面の横幅を目一杯使用した指先の横方向のスライド操作により、拡大表示画像の回転角度を微細に調節することができる。
【００８２】
その結果、本実施の形態は、ユーザが画像編集アプリケーションを使用してデジタル画像のレタッチを行う際、高い解像度のタッチパネル上に高精細に表示された画像データの任意の箇所に対して、編集操作を行う。これにより、本実施の形態は、ユーザにより数ピクセル単位で指定された微細な編集操作を優れた操作性により実現することができる。
【００８３】
（実施の形態３）
実施の形態３に係る情報機器は、実施の形態２と同様の２タッチパネル端末１００であるが、実施の形態２とは異なり、２タッチパネル端末１００は、「１画面状態」で使用されているものとする。タッチパネル１０１をユーザから見て縦向きにした状態で、ユーザが２タッチパネル端末１００を使用する態様は、ポートレート・モードと呼ぶ。また、タッチパネル１０１を横向きにした状態で使用する態様は、ランドスケープ・モードと呼ぶ。
【００８４】
以下の説明では、「１画面状態」で使用される２タッチパネル端末１００において、タッチパネル１０１のみが使用され、タッチパネル１０１はランドスケープ・モードで使用されると仮定する。
【００８５】
＜タッチパネル画面の表示エリアの構成＞
図９（ａ）および図９（ｂ）は、「１画面状態」におけるタッチパネル１０１内の各表示エリアを示す図である。
【００８６】
図９（ａ）は、タッチパネル１０１の画面が横に２分割される様子が示されている。図９（ａ）に示す「操作領域Ａ」および「操作領域Ｂ」は、拡大表示の対象とされる矩形領域がユーザによって、選択されるＷｅｂページ等の情報を表示するエリアである。
【００８７】
図９（ｂ）は、図９（ａ）とは別の観点に基づいて、タッチパネル１０１の画面を横に分割するものである。図９（ｂ）に示す「拡大表示領域Ａ」および「拡大表示領域Ｂ」は、拡大表示のために使用されるエリアである。
【００８８】
＜タッチパネル操作と画面表示の切り替え＞
図９（ａ）の「操作領域Ａ」は、図３（ａ）におけるタッチパネル１０１の画面全体に対応する。すなわち、図３（ａ）で示したタッチパネル１０１の画面全体に表示されるＷｅｂページ等の表示情報を、本実施の形態に係る「１画面状態」では、「操作領域Ａ」に表示する。同様に、図９（ａ）の操作領域Ｂは、図３（ａ）におけるタッチパネル１０２の画面全体に対応する。すなわち、本実施の形態では、図３（ａ）で示したタッチパネル１０２上の画面全体に表示されるＷｅｂページ等の表示情報を、「操作領域Ｂ」に表示する。
【００８９】
ユーザにより第１のタッチ操作がされた「操作領域Ａ」内において、拡大表示の対象とされる矩形領域がユーザによって指定されると、上記矩形領域中の表示内容は、図９（ｂ）の「拡大表示領域Ｂ」内に拡大表示される。続いて、ユーザは、「拡大表示領域Ｂ」の中で第２のタッチ操作を行い、「操作領域Ａ」の中で指先を縦方向または横方向にスライド操作することにより、第３のタッチ操作を行うことができる。
【００９０】
これとは逆に、ユーザにより第１のタッチ操作がされた「操作領域Ｂ」内において、拡大表示の対象とされる矩形領域がユーザによって指定されると、上記矩形領域中の表示内容は、図９（ｂ）の「拡大表示領域Ａ」内に拡大表示される。続いて、ユーザは、「拡大表示領域Ａ」の中で第２のタッチ操作を行い、「操作領域Ｂ」の中で指先を縦方向または横方向にスライド操作することにより、第３のタッチ操作を行うことができる。
【００９１】
なお、本実施の形態は、タッチパネル１０１のみが使用され、タッチパネル１０１はランドスケープ・モードで使用されると仮定したが、タッチパネル１０２のみが使用されてもよい。また、本実施の形態において、タッチパネル１０１または１０２は、ポートレート・モードで使用されてもよい。タッチパネル１０１または１０２をポートレート・モードで使用する場合、タッチパネルの画面は、図９（ａ）のように横に分割するのではなく、縦に分割してもよい。つまり、タッチパネルの画面は、上下に２分割された表示エリアの一方を「操作領域Ａ」とし、他方を「操作領域Ｂ」とすることができる。
【００９２】
＜実施の形態３の効果＞
本実施の形態では、ユーザが使用する情報機器が１枚のタッチパネルしか装備していない場合、もしくは、情報機器が２タッチパネル端末１００であったとしても、一方のタッチパネルしか使用できない場合にも適応できる。つまり、本実施の形態では、１枚のタッチパネルの画面を２分割することにより、実施の形態１および２と同様の効果を得ることができる。
【００９３】
本開示の表示制御装置は、タッチ操作による入力が可能なタッチパネルを備えた情報機器に搭載される表示制御装置であって、前記タッチパネルの第１の表示領域においてユーザによる第１のタッチ操作が行われたか否かを判定するタッチ操作判定部と、前記第１のタッチ操作が行われた場合、前記第１の表示領域中の、前記第１のタッチ操作がされた位置を含む所定の領域に表示されている情報を、前記タッチパネルの第２の表示領域に拡大表示する拡大表示部と、を備える構成を採る。
【００９４】
本開示の表示制御装置は、前記タッチ操作判定部が、ユーザが第１の表示領域に指先をタッチし、前記タッチした位置から第１の所定の時間だけ前記指先を前記第１の表示領域上でスライドさせ、第２の所定の時間だけ前記指先を止めることにより、前記第１のタッチ操作が行われたと判定する、構成を採る。
【００９５】
本開示の表示制御装置は、前記所定の領域の横幅と縦幅を、前記スライドの方向と距離に基づいて決定する座標計算部を具備し、前記拡大表示部は、前記決定された所定の領域の表示態様を、他の領域と異ならせる、構成を採る。
【００９６】
本開示の表示制御装置は、前記拡大表示部が、前記拡大表示する情報の画像データの圧縮率を、前記第２の表示領域の解像度に応じて調整する、構成を採る。
【００９７】
本開示の表示制御装置は、前記タッチ操作判定部および前記拡大表示部が、アプリケーションよりも下位層に位置するミドルウェア、ＯＳおよびデバイスドライバのいずれか一つ以上におけるモジュールとして実装される、構成を採る。
【００９８】
本開示の表示制御装置は、前記タッチ操作判定部が、前記第１のタッチ操作が開始されてから解除されるまでの間、前記第１の表示領域上において前記ユーザによる指先の第１のスライド操作が行われたか否かを判定し、前記拡大表示部は、前記第１のスライド操作の幅に応じて、前記第２の表示領域の拡大率を増減する、構成を採る。
【００９９】
本開示の表示制御装置は、前記タッチ操作判定部が、前記第１のタッチ操作が開始されてから解除されるまでの間、前記第１の表示領域上において前記ユーザによる指先の第２のスライド操作が行われたか否かを判定し、前記拡大表示部は、前記第２のスライド操作の幅に応じて前記第２の表示領域に表示された画像を回転させる、構成を採る。
【０１００】
本開示の情報機器は、第１のタッチパネルと、第２のタッチパネルと、上記いずれかの表示制御装置と、を備え、前記第１の表示領域は一方のタッチパネル上の表示領域であり、前記第２の表示領域は他方のタッチパネル上の表示領域である、構成を採る。
【０１０１】
本開示の表示制御方法は、タッチ操作による入力が可能なタッチパネルを備えた情報機器における表示制御方法であって、タッチパネルの第１の表示領域においてユーザによる第１のタッチ操作が行われたか否かを判定するステップと、前記第１のタッチ操作が行われた場合、前記第１の表示領域中の、前記第１のタッチ操作がされた位置を含む所定の領域に表示されている情報を、前記タッチパネルの第２の表示領域に拡大表示するステップと、を備える。
【産業上の利用可能性】
【０１０２】
本発明は、ＧＵＩを使用してアプリケーションに対する画面入力を行う情報機器において、メニュー、ボタンまたはハイパーリンク等のＧＵＩ要素の表示を制御するソフトウェア・プログラムとして利用することができる。
【符号の説明】
【０１０３】
１００  ２タッチパネル端末
１０１  タッチパネル
１０２  タッチパネル
１１０  筐体
１２０  筐体
３１２  リンクボタン
３１２ａ  リンクボタン
３１３  スライド方向を示す矢印
３１４  矩形領域
３３０  ユーザの指先
３４０  ユーザの指先
４０１  タッチ検知部
４０２  第１のタッチ操作判定部
４０３  座標計算部
４０４  拡大表示部
４０５  第２のタッチ操作判定部
４０６  インプットマネージャ部
４０７  アプリケーション実行部
６０１  スライド方向を示す矢印
６０２  スライド方向を示す矢印
６１０  ユーザの指先
７０１  第３のタッチ操作判定部
【図１】
2013246658.tif 000003
【図２】
2013246658.tif 000004
【図３（ａ）】
2013246658.tif 000005
【図３（ｂ）】
2013246658.tif 000006
【図３（ｃ）】
2013246658.tif 000007
【図３（ｄ）】
2013246658.tif 000008
【図４】
2013246658.tif 000009
【図５】
2013246658.tif 000010
【図６】
2013246658.tif 000011
【図７】
2013246658.tif 000012
【図８】
2013246658.tif 000013
【図９】
2013246658.tif 000014